(57)【要約】      （修正有）【課題】Ｘ線曝射操作の開始後、被検者の状態を常に観察しているＸ線撮影術者に対し、撮影条件項目が正しく選択されていることの確認ができ、誤った項目が選択されている場合の誤爆射を防止するＸ線撮影装置を提供する。【解決手段】選択される撮影条件項目、または項目の簡略語に対する音声変換部を設け、Ｘ線曝射準備ボタンを押した時、選択されている撮影条件項目に対応する音声を操作盤２に内蔵されたスピーカー、または外部接続のスピーカーから発声する。【選択図】図１
0003162723.tif 000002
【実用新案登録請求の範囲】
【請求項１】
Ｘ線撮影条件を設定する撮影条件操作部と、Ｘ線撮影準備及びＸ線曝射指示を行うＸ線曝射操作部と、前記撮影条件操作部及びＸ線曝射操作部からの指示を受けてそれぞれＸ線撮影準備及びＸ線曝射に伴う指示をＸ線高電圧制御部に与える撮影操作制御部と、前記Ｘ線高電圧制御部により制御されＸ線を発生するＸ線発生手段を備えたＸ線撮影装置において、
前記撮影条件操作部において設定されるＸ線撮影条件に関する情報を音声記憶する音声記憶部と、前記音声記憶部に記憶された情報を音声として出力する音声発生部と、前記撮影操作制御部からのＸ線撮影準備の開始に伴う指示を受け、前記音声記憶部に記憶された対応するＸ線撮影条件に関する情報を前記音声発生部に音声発生させる音声出力制御部とを、備えたことを特徴とするＸ線撮影装置。
【請求項２】
前記撮影操作制御部は、前記Ｘ線高電圧制御部からの撮影準備状態完了通知を受け、前記音声発生部に対して所定の音を発生させることを特徴とするＸ線撮影装置。
【考案の詳細な説明】
【技術分野】
【０００１】
本考案はＸ線撮影装置に関する。
【背景技術】
【０００２】
Ｘ線撮影装置では撮影術者が操作盤の撮影条件設定表から適切な項目を選出し所定の項目を登録後、被検者を注視しながらＸ線曝射操作を行う。
【０００３】
Ｘ線曝射操作では二段階押し込み式の複合したボタンが使用され、Ｘ線撮影術者がＸ線曝射操作部のＸ線曝射準備ボタンを一段階目まで押し込んで待機し、Ｘ線管装置のＸ線管アノードの既定回転数到達等、Ｘ線曝射準備が完了したことを発光と音による装置からの完了通知で確認後、二段階目まで押し込むことで最後にＸ線曝射ボタンを押して撮影を完了するものである。
【先行技術文献】
【特許文献】
【０００４】
【特許文献１】特開２０００−２２７４０３号公報
【特許文献２】特開２００９−７７９４２号公報
【考案の概要】
【考案が解決しようとする課題】
【０００５】
Ｘ線撮影装置によるＸ線撮影は図１に示すとおりであるが、Ｘ線撮影術者１がＸ線曝射操作の開始後は被検者５の状態を常に注視しているため、意図する内容の撮影条件項目が正しく選択されているか否かの確認がしにくく、したがって確認しないままで誤った撮影条件項目が選択されている場合、Ｘ線撮影術者１が意図する撮影条件項目でのＸ線写真を得ることができない。
【課題を解決するための手段】
【０００６】
本考案は上記課題を解決するために、Ｘ線撮影条件を設定する撮影条件操作部と、Ｘ線撮影準備及びＸ線曝射指示を行うＸ線曝射操作部と、前記撮影条件操作部及びＸ線曝射操作部からの指示を受けてそれぞれＸ線撮影準備及びＸ線曝射に伴う指示をＸ線高電圧制御部に与える撮影操作制御部と、前記Ｘ線高電圧制御部により制御されＸ線を発生するＸ線発生手段を備えたＸ線撮影装置において、Ｘ線曝射操作の開始信号で撮影操作制御部からの指示により、選択されている撮影条件項目を簡略語化した音声で出力する音声出力手段を設けたものである。
【考案の効果】
【０００７】
Ｘ線曝射操作を開始したＸ線撮影術者１が被検者５の状態を観察、注視しながらも選択されている撮影条件項目を音声で確認でき、Ｘ線撮影術者１が誤った撮影条件項目を選択している場合の誤爆射による撮影ミスを解消できる。
【図面の簡単な説明】
【０００８】
【図１】Ｘ線撮影状況説明図である。
【図２】Ｘ線操作盤概略説明図である。
【図３】Ｘ線曝射操作部説明図である。
【図４】撮影操作制御部の接続ブロック図である。
【図５】撮影操作制御部の制御手順フローチャートである。
【考案を実施するための形態】
【０００９】
Ｘ線撮影術者１がＸ線曝射操作を開始した時点で、選択されている撮影条件項目が確認できる音声出力手段を設けることにより、被検者の状態を観察、注視しながらＸ線曝射操作を開始したＸ線撮影術者に撮影条件項目の誤選択があった場合のＸ線誤曝射を防止する。
【実施例１】
【００１０】
以下、本考案実施例について図１、図２、図３、図４、および図５を参照して説明する。図１は本考案のＸ線撮影装置の概略構成とＸ線撮影状況を示し、Ｘ線撮影術者１は操作盤２においてＸ線撮影項目を設定後、Ｘ線防護機能を有する鉛ガラス３を介してＸ線撮像部４の前に位置した被検者５に対して、注視しながらＸ線撮影操作をする。Ｘ線撮影は天井から垂設されたＸ線管装置６からＸ線を放射して、被検者５を透過させ、Ｘ線撮像部４により透過像が受像される。Ｘ線撮像部４はＸ線フィルム、あるいはイメージングプレート等と構成されＸ線画像を生成する。
【００１１】
図２は操作盤２の概略を示し、前記操作盤２はＸ線撮影条件項目選択登録パネル８、およびスピーカー９の他、図示していないがＸ線曝射準備完了表示灯やＸ線曝射灯等から構成され、Ｘ線曝射操作部７が接続されている。
【００１２】
図３はＸ線曝射操作部７を拡大して示す図で、Ｘ線曝射準備ボタン１０とＸ線曝射ボタン１１がそれぞれモーメンタル構造で構成され、二段階方式で操作する。最初の一段階目でＸ線曝射準備ボタン１０が押し込まれるとＸ線曝射準備スイッチが入り、次いで二段階目が押し込まれることでＸ線曝射ボタン１１のＸ線曝射スイッチが入る。ここで、Ｘ線曝射準備中にボタンの押し込みを放した場合、モーメンタルにより、ボタンが自動的に復帰するとともに、Ｘ線曝射準備信号をオフにしてＸ線曝射準備を中止させる。
Ｘ線撮影条件項目は被写体や撮影距離等から適切な項目が選択されるものである。
【００１３】
図４は上記撮影操作を制御する撮影操作制御部１２に関する接続関係を概略ブロック図で示したものであり、以下に説明する。
操作盤２はＸ線管電圧、Ｘ線管電流、および撮影時間等を組み合せてメニュー化した項目を表記して項目の入力を受け付け、選択入力された項目内容を撮影操作制御部１２へ送信する。撮影操作制御部１２は受信した情報からメニュー化した項目の表記内容に関する情報は音声出力制御部１３へ送信する。Ｘ線管電圧、Ｘ線管電流、および撮影時間等の撮影条件に関する内容はＸ線高電圧発生装置の制御を行う公知の回路であるＸ線高電圧中央制御部１４へ指令信号として出力する。Ｘ線高電圧中央制御部１４はＸ線管アノード回転制御部１６を作動してＸ線管装置６のＸ線管アノードを回転させるとともに、Ｘ線高電圧発生器１５でＸ線管電圧とＸ線管電流を撮影時間発生させてＸ線管装置６のＸ線管からＸ線を放射する。
【００１４】
一方、操作盤２で選択された項目は撮影操作制御部１２により、各項目内容に対応する簡略化語を記憶させた変換音声記憶部１７に項目指示を行い、音声発声部１８において音声信号、および音声として出力する。
また、撮影操作制御部１２はＸ線曝射操作部７の操作信号を受けて、Ｘ線曝射準備が開始した信号を音声出力制御部１３へ送り、音声出力制御部１３の指令で音声発声部１８から音声を出力するとともに、Ｘ線高電圧中央制御部１４へＸ線曝射準備と曝射の指示を出力する。
【００１５】
図５は上記撮影操作制御部１２による音声出力の手順を示す制御フロー、およびＸ線撮影条件項目の確認と選択項目が誤っていた場合の回避手順を示すフローであり、以下に説明する。
Ｓ１、撮影条件項目登録被検者と撮影装置の位置設定
Ｘ線撮影術者１が被検者５、およびＸ線管装置６のポジショニングを行い、操作盤２でＸ線撮影条件項目を選択して入力する。入力した内容は撮影操作制御部１２により音声出力に関する内容は音声出力制御部１３、Ｘ線出力に関する内容はＸ線高電圧中央制御部１４へそれぞれ制御内容の信号として送信する。
Ｓ２、曝射準備ボタン一段階押し込み？
Ｘ線撮影術者１がＸ線曝射操作のためＸ線曝射準備ボタン１０を一段階目まで押し込み入力する信号を得ることで確認する。Ｘ線曝射準備ボタン１０から入力を確認した撮影操作制御部１２はＸ線高電圧中央制御部１４へＸ線曝射準備の指令を出し、Ｘ線管装置６のアノードの回転等、Ｘ線曝射準備を始動する。
【００１６】
Ｓ３、撮影条件項目の音声出力指示
Ｘ線曝射準備ボタン１０が押し込まれた信号を受けたことをＳ２で確認した撮影操作制御部１２は先にＳ１で音声出力に関する内容を送信している音声出力制御部１３へ音声発声の指令を出し、変換音声記憶部１７、および音声発声部１８から選択された撮影条件項目の音声を出す。発声された音声の内容はＸ線撮影術者１によって確認する。
Ｓ４、曝射準備ボタンの操作中断か？
Ｘ線曝射準備ボタン１０が押し込みを開放して操作が中断していないかを検出する。前述した撮影条件項目の発声内容が意図する選択項目でない場合、Ｘ線撮影術者１はＸ線曝射準備ボタン１０の押し込みを開放する。Ｘ線曝射準備ボタン１０の押し込みを開放して入力信号が無くなると曝射操作が中断したと判断をして、後述するＳ１０へ進み、撮影操作制御部１２はＸ線曝射準備操作を中止する。
【００１７】
Ｓ５、曝射準備完了？
Ｘ線曝射準備ボタン１０が押し込みを開放して操作が中断していないか、検出を続行しながら、Ｘ線高電圧中央制御部１４からＸ線管装置６のアノード回転数が所定値に到達等、Ｘ線曝射準備完了の信号が入力するのを検出する。
Ｓ６、曝射準備完了通知音の出力
Ｘ線曝射準備の完了をＳ５で確認すると、撮影操作制御部１２はＸ線曝射準備完了の信号を操作盤２へ出し、操作盤２から曝射準備完了音を出力する。
Ｓ７、曝射準備ボタンの操作中断か？
Ｘ線曝射準備ボタン１０が押し込みを開放してＸ線曝射準備操作が中断していないか検出を続行する。Ｘ線曝射準備ボタン１０の押し込みを開放して入力信号が無くなると曝射操作が中断したことの判断をして、後述するＳ１０へ進み、撮影操作制御部１２は曝射準備を解除する。
【００１８】
Ｓ８、曝射ボタン押し込み？
Ｓ３で発声された音声が、Ｘ線撮影術者１が意図する撮影項目であればＸ線撮影術者１が一段階目まで押し込んであるＸ線曝射準備ボタン１０を二段階目まで押し込み、Ｘ線曝射ボタン１１を押しこむ。Ｘ線曝射ボタン１１が押し込まれることで撮影操作制御部１２に曝射の信号が入ったことを確認する。この際、Ｓ３で発声された内容が発声途中であってもよい。
Ｓ９、Ｘ線撮影（曝射）
曝射の信号を受けた撮影操作制御部１２はＸ線曝射の指令信号をＸ線高電圧中央制御部１４へ送信してＸ線が曝射され、Ｘ線撮影が行われる。
Ｓ１０、曝射準備解除
Ｘ線曝射準備ボタン１０の押し込みを開放して撮影操作制御部１２へのＸ線曝射準備信号が無くなった場合、Ｓ４からＳ７での確認ステップで撮影操作制御部１２はＸ線高電圧中央制御部１４へのＸ線曝射準備信号を無くし、Ｘ線曝射準備を中止する。Ｘ線曝射準備を中断した場合、Ｓ１へ戻り、当初の項目登録を再登録してやり直しする。
なお、Ｘ線曝射準備の操作中に被検者５の状態に異常が発生し曝射操作を中断する場合もＸ線撮影術者１が一段階目まで押し込んであるＸ線曝射準備ボタン１０を開放すれば、上記と同様にして、Ｓ４からＳ７での確認ステップでＸ線曝射準備を中止する。
【産業上の利用可能性】
【００１９】
本考案は被検者のＸ線撮影における誤曝射を未然に防止する機能を備えたものであり被検者のＸ線撮影を行うＸ線撮影装置に利用できる。
【符号の説明】
【００２０】
１  Ｘ線撮影術者
２  操作盤
３  鉛ガラス
４  Ｘ線撮像部
５  被検者
６  Ｘ線管装置
７  Ｘ線曝射操作部
８  Ｘ線撮影条件項目選択登録パネル
９  スピーカー
１０  Ｘ線曝射準備ボタン
１１  Ｘ線曝射ボタン
１２  撮影操作制御部
１３  音声出力制御部
１４  Ｘ線高電圧中央制御部
１５  Ｘ線高電圧発生器
１６  Ｘ線管アノード回転制御部
１７  変換音声記憶部
１８  音声発声部
【図１】
0003162723.tif 000003
【図２】
0003162723.tif 000004
【図３】
0003162723.tif 000005
【図４】
0003162723.tif 000006
【図５】
0003162723.tif 000007
【手続補正書】
【提出日】平成22年7月9日(2010.7.9)
【手続補正１】
【補正対象書類名】実用新案登録請求の範囲
【補正対象項目名】請求項２
【補正方法】変更
【補正の内容】
【請求項２】
前記撮影操作制御部は、前記Ｘ線高電圧制御部からの撮影準備状態完了通知を受け、前記音声発生部に対して所定の音を発生させることを特徴とする請求項１記載のＸ線撮影装置。